(57)【要約】【課題】ゲーム性に合わせて遊技盤の返しゴムの構造を容易に変更することができる返しゴムユニット、遊技盤及びパチンコ遊技機を提供する。【解決手段】遊技盤１は、遊技領域内に発射された遊技球を跳ね返すゴム部材１１と、このゴム部材１１によって跳ね返された遊技球を受ける球受部材１２と、この球受部材１２と一体的に構成され、球受部材１２を取り付けるための取付板１３と、ゴム部材１１を固定して取付板１３に取り付け可能なカバー板１４と、を備えた返しゴムユニット１０が遊技領域４の右側上部に着脱可能な構成となっている。【選択図】図１
2010022581.tif 000002
【特許請求の範囲】
【請求項１】
遊技盤の遊技領域内に発射された遊技球を跳ね返すゴム部材と、
該ゴム部材によって跳ね返された遊技球を受ける球受部材と、
該球受部材と一体的に構成され、前記球受部材を遊技盤に取り付けるための取付部材と、
前記ゴム部材を固定して前記取付部材に取り付け可能なカバー部材と、
を備えたことを特徴とする返しゴムユニット。
【請求項２】
遊技領域内に発射された遊技球を跳ね返すゴム部材と、該ゴム部材によって跳ね返された遊技球を受ける球受部材と、該球受部材と一体的に構成され、前記球受部材を取り付けるための取付部材と、前記ゴム部材を固定して前記取付部材に取り付け可能なカバー部材と、を備えた返しゴムユニットが遊技領域の右側上部に着脱可能に構成されていることを特徴とする遊技盤。
【請求項３】
請求項２に記載の遊技盤を備えたことを特徴とするパチンコ遊技機。
【発明の詳細な説明】
【技術分野】
【０００１】
本発明は、遊技盤の遊技領域内に発射された遊技球を跳ね返す返しゴムユニットと、その返しゴムユニットを着脱可能な遊技盤、並びにその遊技盤を備えたパチンコ遊技機に関する。
【背景技術】
【０００２】
従来から「ヒコーキ」或いは「羽根物」等と称されているパチンコ遊技機は、周知のように、一対の羽根（可動片）からなる変動入賞装置が遊技盤に設けられ、所定の始動口に遊技球が入賞すると、ソレノイドが作動して変動入賞装置の羽根が１回ないし２回開閉作動し、遊技盤を流下する遊技球を捕捉して変動入賞装置内に導くように構成されている。変動入賞装置の内部には、Ｖゾーンと称される特定領域が設けられており、入賞した遊技球がこの特定領域を通過した場合に大当たりが発生する。
大当たり状態においては、１ラウンドのラウンド動作として、ソレノイドの作動により羽根を所定回数（例えば１８回）断続的に開放するか、或いは規定数の遊技球の入賞を検出するまで継続的に開放する。そして、当選した大当たりの内容に応じて第２ラウンドが連続的に開始されて羽根の継続的な開閉が更に繰り返される。以下同様に所定ラウンド数（当選した大当たりの内容に応じて、最高１６ラウンド）まで繰り返され、このような大当たりの期間中に多数の遊技球を獲得できるようにしたものである。
【０００３】
また、パチンコ遊技機の中には、通常遊技状態の時は、例えば遊技盤の左側の遊技領域を狙って遊技球を発射し、所定の遊技条件が成立して大当たり状態になると、発射ハンドルを右一杯に回して、遊技領域の右側上部に設けられた返しゴムを狙って遊技球を発射するといった所謂「右打ち」を行うようにした遊技機が知られている。
特許文献１には、連続して特別遊技状態が実行される場合に、遊技者に遊技リスクを持たせ、遊技者に技量発揮の機会を与え、特別遊技の確定後は、特別遊技が連続し易いようにして、遊技者の遊技意欲を掻き立てるようした遊技機が開示されている。
また特許文献２には、右打ちを行った場合に返しゴムで跳ね返った遊技球を近傍に位置する誘導部材の壁部に導いて球勢を減殺することにより跳ね返った遊技球が直接遊技釘に衝突してこれを損傷させることを防止するための技術が開示されている。
【特許文献１】特開２００７−２５２５３８公報
【特許文献２】特開平０８−３２２９８８号公報
【発明の開示】
【発明が解決しようとする課題】
【０００４】
ところで、上記特許文献２に開示されたパチンコ遊技機のように「右打ち」を前提とした遊技機は、返しゴムで跳ね返った遊技球を遊技釘で受けた場合は遊技釘が破損するおそれがあるため、遊技盤の遊技領域の右側最上部に取り付けた返しゴムと対向する位置に誘導部材を取り付けるようにしていた。このため、例えば同一の遊技盤を用いて「右打ち」を前提としたゲーム性の遊技機と、「右打ち」を前提としないゲーム性の遊技機を作製しようとすると、ゲーム性に合わせて遊技盤の返しゴム部分の設計を変更しなければならないという問題点があった。
本発明は、上記したような問題点を鑑みてなされたのであり、ゲーム性に合わせて遊技盤の返しゴムの構造を容易に変更することができる返しゴムユニット、遊技盤及びパチンコ遊技機を提供することを目的とする。
【課題を解決するための手段】
【０００５】
本発明は、上述の課題を解決するためになされたものであり、以下の形態により実現することが可能である。
即ち、本発明の第１の形態は、遊技盤の遊技領域内に発射された遊技球を跳ね返すゴム部材と、該ゴム部材によって跳ね返された遊技球を受ける球受部材と、該球受部材と一体的に構成され、前記球受部材を遊技盤に取り付けるための取付部材と、前記ゴム部材を固定して前記取付部材に取り付け可能なカバー部材と、を備えた返しゴムユニットを特徴とする。
本発明の第２の形態は、遊技領域内に発射された遊技球を跳ね返すゴム部材と、該ゴム部材によって跳ね返された遊技球を受ける球受部材と、該球受部材と一体的に構成され、前記球受部材を取り付けるための取付部材と、前記ゴム部材を固定して前記取付部材に取り付け可能なカバー部材と、を備えた返しゴムユニットが遊技領域の右側上部に着脱可能に構成されている遊技盤を特徴とする。
本発明の第３の形態は、請求項２に記載の遊技盤を備えたパチンコ遊技機を特徴とする。
【発明の効果】
【０００６】
本発明の返しゴムユニットは、遊技盤の遊技領域内に発射された遊技球を跳ね返すゴム部材と、このゴム部材によって跳ね返された遊技球を受ける球受部材を備えているので、「右打ち」を前提としたパチンコ遊技機の遊技盤に対して、本発明の返しゴムユニットを取り付けることで、「右打ち」を行ったときに遊技盤の遊技釘を破損することなく、しかも遊技球を所望の方向へ誘導することが可能になる。
また、本発明の遊技盤は、遊技領域内に発射された遊技球を跳ね返すゴム部材と、このゴム部材によって跳ね返された遊技球を受ける球受部材とを備えた返しゴムユニットを遊技領域の右側上部に着脱可能に構成したことで、「右打ち」を前提とした遊技盤には返しゴムユニットを取り付けることで、「右打ち」を行ったときに遊技盤の遊技釘を破損することなく、しかも遊技球を所望の方向へ誘導することが可能になる。一方、「右打ち」を前提としない遊技盤には、返しゴムユニットを取り外すことで遊技盤の返しゴムをそのまま利用して「右打ち」された遊技球を所望の方向に誘導することができる。これにより、パチンコ遊技機のゲーム性に合わせて遊技盤の返しゴムの構造を容易に変更することが可能になる。
【発明を実施するための最良の形態】
【０００７】
以下、本発明を図面に示した実施の形態により詳細に説明する。
図１は本発明を適用したパチンコ遊技機の遊技盤を示した正面図である。
この図１に示す遊技盤１には、外側のガイドレール２と内側のガイドレール３とによって略円形の遊技領域４が形成されている。遊技盤１の下方に位置する図示しない発射装置から発射された遊技球は、ガイドレール２とガイドレール３によって形成される遊技球導入経路５を経て遊技領域内に放出される。ガイドレール２の右上部分には、ガイドレール２に沿って遊技領域４内に発射された遊技球を跳ね返す返しゴムユニット１０が取り付けられている。
【０００８】
図２は図１における一点鎖線円Ａで囲った部分の拡大図である。なお、図２では返しゴムユニット１０の内部構造を説明するため一部が切欠き断面により示されている。
この図２に示す返しゴムユニット１０は、遊技盤１の遊技領域４内に発射された遊技球を跳ね返すゴム部材１１と、このゴム部材１１によって跳ね返された遊技球を受ける球受部材１２とを備えている。球受部材１２は、例えば、樹脂或いは金属などにより構成されている。従って、返しゴムユニット１０を遊技盤１のガイドレール２の右上部分に取り付けた状態では、遊技者が図示しない発射装置の発射ハンドルを右一杯に回して遊技球を発射する「右打ち」を行った場合、図２に示すように、遊技球Ｐは返しゴムユニット１０のゴム部材１１に衝突する。ゴム部材１１に衝突して跳ね返った遊技球Ｐは、対向配置された球受部材１２に衝突する。球受部材１２では遊技球Ｐの球勢を減殺すると共に、その流下方向の調整などを行う。
図１に示す遊技盤１の略中央には、大入賞口として機能する変動入賞装置２１が配置されている。変動入賞装置２１の上部両側には、遊技球装置内へ導入する導入部として遊技球が入賞し難い閉状態と遊技球が入賞し易い開状態に変化可能な一対の可動片２２Ｌ、２２Ｒが設けられている。また、変動入賞装置２１の内部には特定領域（Ｖゾーン）２３が設けられている。なお、本実施の形態では可動片の形状を羽根形状としているが、これはあくまでも一例であり羽根形状ではない可動片であってもよい。
【０００９】
変動入賞装置２１の下方領域には、図示しない特別図柄を作動させるための第１始動口２４が配置されている。また変動入賞装置２１の右側領域には、図示しない普通図柄を作動させるためのゲート２５が配置されている。ゲート２５の下方には、特別図柄を作動させるための第２始動口として機能する電動式チューリップ(以下、「電チュー」と称する)２６が配置されている。
電チュー２６は、普通図柄が所定図柄にて停止した場合に遊技球の入賞し難い閉状態から入賞し易い開状態になる。電チュー２６の下方には、下大入賞口２７が配置されている。下大入賞口２７は、所定の大当たりに当選したときに開放状態になる。
さらに、遊技盤１の左側の下方領域には普通入賞口２８が配置されている。また最下部にはアウト口２９が配置されている。
遊技釘３０は、遊技球の落下速度を遅くすると共に、落下方向を複雑に変化させて遊技進行上の興趣を高めている。なお、図１では遊技盤１の遊技領域４の上方領域の遊技釘３０のみを示し他の遊技釘は図示を省略している。
【００１０】
次に、図３〜図５を用いて返しゴムユニット１０の構造について説明する。
図３は、本実施の形態の返しゴムユニットの構成を示した斜視図、図４は本実施の形態の返しゴムユニットの分解図、図５は本実施の形態の返しゴムユニットを遊技盤に取り付けたときの斜視図である。
これら図３〜図５に示す本実施の形態の返しゴムユニット１０は、遊技盤１の遊技領域４内に発射された遊技球を跳ね返すゴム部材１１と、ゴム部材１１によって跳ね返された遊技球を受ける球受部材１２と、球受部材１２と一体的に構成され球受部材１２を遊技盤１に取り付けるための取付板（取付部材）１３と、ゴム部材１１を固定して取付板１３に取り付けるカバー板（カバー部材）１４と、を備える。
【００１１】
図４に示すように、カバー板１４にはゴム部材１１を固定するために略円形状の２つの突起１４ａが形成されている。ゴム部材１１にはカバー板１４の突起１４ａを挿入可能な挿入部１１ａが設けられており、この挿入部１１ａにカバー板１４の突起１４ａを挿入することでカバー板１４にゴム部材１１を取り付けることができる。
またカバー板１４には位置決め用のボス部材１４ｂが設けられ、取付板１３には上記位置決め用のボス部材１４ｂを受けるボス受部１３ａが夫々設けられている。ボス部材１４ｂ、及びボス受部１３ａの中央には貫通穴形状の下穴が形成されている。
従って、本実施の形態の返しゴムユニット１０を遊技盤１に取り付ける場合には、カバー板１４の位置決め用のボス部材１４ｂと、取付板１３のボス受部１３ａとを合わせたうえで、カバー板１４の手前側（遊技者側）からネジ１５を螺合することによりゴム部材１１と球受部材１２とを適正な位置関係で保ちつつ、遊技盤１に返しゴムユニット１０を簡単に取り付けることができる。
【００１２】
次に、本実施の形態のパチンコ遊技機の遊技動作について説明する。
通常ゲーム中は、遊技者は遊技盤１の左側の遊技領域を狙って遊技球が発射する。ここで、遊技球が変動入賞装置２１の下方に位置する第１始動口２４に入賞した場合は、当たり抽選が行われる。当たり抽選において大当たりに当選した場合は、下大入賞口２７の開閉扉を開放する第１大当たりゲームを行う。第１大当たりゲームでは、例えば一定期間、下大入賞口２７の開閉扉が開放状態となるかもしくは下大入賞口２７内に所定個数（例えば９個）の遊技球が入賞するまでの期間を１ラウンドとした開放動作を例えば１５ラウンド繰り返す動作を行う。
一方、第１始動口２４に遊技球が入賞したときの当たり抽選において小当たりに当選した場合は、変動入賞装置２１の可動片２２Ｌ、２２Ｒを例えば１回、０．８秒間、開状態に変化させる開閉ゲームを行う。
開閉ゲーム中に変動入賞装置２１内に遊技球が入賞し、更に入賞した遊技球が特定領域２３を通過した場合は、変動入賞装置２１を用いた第２大当たりゲームを実行する。第２大当たりゲームでは、変動入賞装置２１の可動片２２Ｌ、２２Ｒを例えば１８回開閉動作を行うか、或いは変動入賞装置２１内に所定個数（例えば９個）の遊技球が入賞するまでの期間を１ラウンドとした開閉動作（断続動作）を例えば１５ラウンド繰り返す動作を行う。
【００１３】
上記第１又は第２大当たりゲーム終了後は、特典遊技として例えば１００回時短ゲームを付与する。時短ゲーム中に遊技球がゲート２５を通過し、普通図柄が当たり図柄で停止した場合は、第２始動口である電チュー２６は通常遊技時より長い時間、開放状態となる。電チュー２６に遊技球が入賞した場合も、上記第１始動口２４と同様、当たり抽選が行われる。当たり抽選において大当たりに当選した場合は、下大入賞口２７の開閉扉を開放する大当たりゲームを実行する。また、小当たりに当選した場合は、変動入賞装置２１の可動片２２Ｌ、２２Ｒを、例えば１回、通常遊技時の開閉期間より長い時間開状態に変化させる開閉ゲームを実行する。この開閉ゲーム中に、変動入賞装置２１内に入賞した遊技球が特定領域２３を通過した場合は、例えば、下大入賞口２７を用いた第１大当たりゲーム或いは変動入賞装置２１を用いた第２大当たりゲームの何れかを実行するようにしている。
【００１４】
従って、上記のように構成されるパチンコ遊技機は、時短ゲーム中は「右打ち」を行って変動入賞装置２１の右側の可動片２２Ｒを介して変動入賞装置２１内に遊技球を入賞させて大当たりを狙う「右打ち」を前提としたゲーム性の遊技機とされる。
そこで、図１に示したパチンコ遊技機では、遊技盤１の右側上部に返しゴムユニット１０を取り付けるようにしている。このように構成することで遊技者が「右打ち」を行ったときに返しゴムユニット１０のゴム部材１１で跳ね返った遊技球Ｐは、対向配置された球受部材１２に衝突して球受部材１２において球勢が減殺される。さらにこの球受部材１２の角度等を適宜調整することにより遊技球をゲート２５の方向や変動入賞装置２１の可動片２２Ｒの方向に誘導することが可能になる。
また、本実施の形態の返しゴムユニット１０は、ゴム部材１１と対向する位置にゴム部材１１で跳ね返った遊技球Ｐを受ける球受部材１２を設けるようにしているので、ゴム部材１１で跳ね返った勢いのある遊技球Ｐによって遊技盤１の遊技釘３０が折れるといった不具合を防止することができるという利点がある。
【００１５】
図６は、本実施の形態の遊技盤の他の構成例を示した正面図である。なお、図１に示した遊技盤と同一部位には同一符号を付して詳細な説明は省略する。
この図６に示す遊技盤４０は、従来の２種タイプの遊技機の遊技盤とされる。つまり、遊技盤４０を備えたパチンコ遊技機では、抽選による大当たり機能及び時短ゲーム機能を有しておらず、従って上記図１に示した遊技盤１では変動入賞装置２１の右側の遊技領域に設けられていたゲート２５、電チュー２６、及び下大入賞口２７が削除されている。
この種の遊技盤４０を備えたパチンコ遊技機では、「右打ち」を行う必要が無いため、遊技盤４０においては、図１に示した遊技盤１の右側上部に取り付けられていた返しゴムユニット１０を取り外すようにしている。この場合、遊技者が「右打ち」を行ったときは、遊技球は、遊技盤４０の外側のガイドレール２の切れ目部分に予め配置されているゴム部材６に衝突し、跳ね返った遊技球は例えば遊技盤４０の左側の遊技領域に誘導することができる。
【００１６】
このように本実施の形態では返しゴムユニット１０を遊技盤の遊技領域の右側上部に着脱可能に構成したことで、図１に示した「右打ち」を前提とした遊技盤１には返しゴムユニットを取り付けることで、「右打ち」を行ったときに遊技盤１の遊技釘３０を破損することなく、しかも遊技球をゲート２５や変動入賞装置２１の可動片２２Ｒの方向へ誘導することが可能になる。一方、図６に示した「右打ち」を前提としない遊技盤４０には、返しゴムユニット１０を取り外すことで、遊技盤４０に予め形成されているゴム部材６をそのまま利用して「右打ち」された遊技球を遊技盤４０の左側の遊技領域に誘導することができる。
このように本実施形態では、遊技盤１、４０の遊技領域の右側上部に返しゴムユニット１０を着脱可能に構成したことで、ゲーム性に合わせて遊技盤の返しゴムの構造を容易に変更することが可能になる。
【図面の簡単な説明】
【００１７】
【図１】本発明を適用したパチンコ遊技機の遊技盤を示した正面図である。
【図２】図１における一点鎖線円Ａで囲った部分の拡大図である。
【図３】本実施の形態の返しゴムユニットの構成を示した斜視図である。
【図４】本実施の形態の返しゴムユニットの分解図である。
【図５】本実施の形態の返しゴムユニットを遊技盤に取り付けたときの斜視図である。
【図６】本実施の形態の遊技盤の他の構成例を示した正面図である。
【符号の説明】
【００１８】
１…遊技盤、２…ガイドレール、３…ガイドレール、４…遊技領域、５…遊技球導入経路、６…ゴム部材、１０…ゴムユニット、１１…ゴム部材、１１ａ…挿入部、１２…球受部材、１３…取付板（取付部材）、１３ａ…ボス受部、１４…カバー板（カバー部材）、１４ａ…突起、１４ｂ…ボス部材、１５…ネジ、２１…変動入賞装置、２２Ｌ  ２２Ｒ…可動片、２３…特定領域、２４…第１始動口、２５…ゲート、２６…電チュー、２７…下大入賞口、２８…普通入賞口、２９…アウト口、３０…遊技釘、４０…遊技盤
【図１】
2010022581.tif 000003
【図２】
2010022581.tif 000004
【図３】
2010022581.tif 000005
【図４】
2010022581.tif 000006
【図５】
2010022581.tif 000007
【図６】
2010022581.tif 000008